(57)【要約】  投影光学系は、拡大側から順に、負の第１レンズ群と、負の第２レンズ群と、少なくとも１つのレンズ群と、絞りと、正のレンズ群とを有し、各レンズ群間隔を変化させることにより変倍を行って、画像表示面の表示画像を拡大投影する。第２レンズ群と絞りとの間に位置するレンズ群のうち、少なくとも１つのレンズ群が変倍時に可動であり、絞りより縮小側に位置し、かつ、変倍時に可動のレンズ群は、前記正のレンズ群１つのみであり、正のレンズ群が、そのレンズ群内の最も広い間隔で、負の前群と正の後群とに分けられ、条件式−２０＜ｆｒｆ／Ｔｒ＜−５，−１０＜ｆｒｆ／ｆｒｒ＜−１（ｆｒｆ：前群の焦点距離、ｆｒｒ：後群の焦点距離、Ｔｒ：前群と後群との軸上間隔）を満足する。
2018030156.tif 000002
【特許請求の範囲】
【請求項１】
画像表示面に表示される画像を拡大投影する投影光学系であって、
拡大側から順に、負の屈折力を有する第１レンズ群と、負の屈折力を有する第２レンズ群と、少なくとも１つのレンズ群と、絞りと、正の屈折力を有するレンズ群とを有し、各レンズ群間隔を変化させることにより変倍を行い、
前記第２レンズ群と前記絞りとの間に位置するレンズ群のうち、少なくとも１つのレンズ群が変倍時に可動であり、
前記絞りより縮小側に位置し、かつ、変倍時に可動のレンズ群は、前記正の屈折力を有するレンズ群１つのみであり、
前記正の屈折力を有するレンズ群が、そのレンズ群内の最も広い間隔で、負の屈折力を有する前群と正の屈折力を有する後群とに分けられ、かつ、以下の条件式（１）及び（２）を満足する投影光学系；
−２０＜ｆｒｆ／Ｔｒ＜−５  …（１）
−１０＜ｆｒｆ／ｆｒｒ＜−１  …（２）
ただし、
ｆｒｆ：前群の焦点距離、
ｆｒｒ：後群の焦点距離、
Ｔｒ：前群と後群との軸上間隔、
である。
【請求項２】
前記正の屈折力を有するレンズ群の縮小側に隣り合うように、正の屈折力を有し変倍時に位置固定のレンズ群を更に有する請求項１記載の投影光学系。
【請求項３】
前記第２レンズ群と前記絞りとの間に位置し、かつ、変倍時に可動のレンズ群として、正の屈折力を有する第３レンズ群を、前記第２レンズ群の縮小側に隣り合うように有する請求項１又は２記載の投影光学系。
【請求項４】
前記第３レンズ群と前記絞りとの間に位置するレンズ群のうち、少なくとも１つのレンズ群が変倍時に位置固定であり、その位置固定のレンズ群として、負の屈折力を有する第４レンズ群を、前記第３レンズ群の縮小側に隣り合うように有する請求項３記載の投影光学系。
【請求項５】
前記第１レンズ群が変倍時に位置固定のレンズ群である請求項１〜４のいずれか１項に記載の投影光学系。
【請求項６】
広角端の最大画角が６０°以上である請求項１〜５のいずれか１項に記載の投影光学系。
【請求項７】
以下の条件式（３）を満足する請求項１〜６のいずれか１項に記載の投影光学系；
ｆｔ／ｆｗ＞１．２  …（３）
ただし、
ｆｔ：望遠端における全系の焦点距離、
ｆｗ：広角端における全系の焦点距離、
である。
【請求項８】
前記画像表示面を有する画像表示素子と、前記画像表示面に表示される画像をスクリーン面に拡大投影する請求項１〜７のいずれか１項に記載の投影光学系と、を備えたプロジェクター。
【発明の詳細な説明】
【技術分野】
【０００１】
本発明は投影光学系及びプロジェクターに関するものであり、例えば、デジタル・マイクロミラー・デバイス(digital micromirror device)やＬＣＤ(liquid crystal display)等の画像表示素子の表示画像をスクリーンに拡大投影するのに適した変倍可能な投影光学系と、それを備えたプロジェクターに関するものである。
【背景技術】
【０００２】
変倍可能な投影光学系として、プロジェクター用のズームレンズが特許文献１，２で提案されている。また近年、狭い場所でも大画面投影を可能にする広画角の投影光学系が求められるようになってきている。狭い場所で大画面投影を行う場合、視界がプロジェクター本体に遮られることを防ぐために投影画像を片側にシフトする必要があるが、そのためには投影光学系が大きなイメージサークルに対応する必要がある。また、色合成プリズムを用いた３板式のプロジェクターに使用する投影光学系には、色むらを防ぐためにテレセントリック性が必要になるが、イメージサークルが大きくなるとテレセントリック性を確保することが困難になる。
【先行技術文献】
【特許文献】
【０００３】
【特許文献１】特開２０１５−１８２０４号公報
【特許文献２】特開２０１３−８８５４５号公報
【発明の概要】
【発明が解決しようとする課題】
【０００４】
例えば、特許文献１記載のズームレンズでは、絞りより縮小側に位置する正の移動群を構成する後群の屈折力が小さいため、軸外光を十分に折り曲げて光軸に対して平行にすることができず、テレセントリック性が確保できていない。また、特許文献２記載のズームレンズでは、絞りより縮小側に位置する正の移動群の前後群間隔が短すぎるため、軸外光を十分に跳ね上げることができず、広いイメージサークルが確保できていない。【０００５】
本発明はこのような状況に鑑みてなされたものであって、その目的は、広いイメージサークルを確保することで狭い場所でもプロジェクター本体に視野が遮られない画像投影を可能とし、かつ、良好なテレセントリック性を確保することで色むらの少ない画像投影を可能とした変倍可能な投影光学系と、それを備えたプロジェクターを提供することにある。
【課題を解決するための手段】
【０００６】
上記目的を達成するために、本発明の投影光学系は、画像表示面に表示される画像を拡大投影する投影光学系であって、
拡大側から順に、負の屈折力を有する第１レンズ群と、負の屈折力を有する第２レンズ群と、少なくとも１つのレンズ群と、絞りと、正の屈折力を有するレンズ群とを有し、各レンズ群間隔を変化させることにより変倍を行い、
前記第２レンズ群と前記絞りとの間に位置するレンズ群のうち、少なくとも１つのレンズ群が変倍時に可動であり、
前記絞りより縮小側に位置し、かつ、変倍時に可動のレンズ群は、前記正の屈折力を有するレンズ群１つのみであり、
前記正の屈折力を有するレンズ群が、そのレンズ群内の最も広い間隔で、負の屈折力を有する前群と正の屈折力を有する後群とに分けられ、かつ、以下の条件式（１）及び（２）を満足することを特徴とする。
−２０＜ｆｒｆ／Ｔｒ＜−５  …（１）
−１０＜ｆｒｆ／ｆｒｒ＜−１  …（２）
ただし、
ｆｒｆ：前群の焦点距離、
ｆｒｒ：後群の焦点距離、
Ｔｒ：前群と後群との軸上間隔、
である。【０００７】
本発明のプロジェクターは、前記画像表示面を有する画像表示素子と、前記画像表示面に表示される画像をスクリーン面に拡大投影する前記投影光学系と、を備えたことを特徴とする。
【発明の効果】
【０００８】
本発明によれば、絞りより縮小側に位置する変倍時可動のレンズ群等が適正に設定されているため、広いイメージサークルを確保することで狭い場所でもプロジェクター本体に視野が遮られない画像投影を可能とし、かつ、良好なテレセントリック性を確保することで色むらの少ない画像投影を可能とした変倍可能な投影光学系と、それを備えたプロジェクターを実現することが可能である。
【図面の簡単な説明】
【０００９】
【図１】第１の実施の形態（実施例１）の光学構成図。
【図２】第２の実施の形態（実施例２）の光学構成図。
【図３】第３の実施の形態（実施例３）の光学構成図。
【図４】第４の実施の形態（実施例４）の光学構成図。
【図５】実施例１の収差図。
【図６】実施例２の収差図。
【図７】実施例３の収差図。
【図８】実施例４の収差図。
【図９】プロジェクターの一実施の形態を示す模式図。
【発明を実施するための形態】
【００１０】
以下、本発明の実施の形態に係る投影光学系，プロジェクター等を説明する。本発明の実施の形態に係る投影光学系は、画像表示面に表示される画像を拡大投影する投影光学系であって、拡大側から順に、負の屈折力を有する第１レンズ群と、負の屈折力を有する第２レンズ群と、少なくとも１つのレンズ群と、絞りと、正の屈折力を有するレンズ群とを有し、各レンズ群間隔を変化させることにより変倍を行うものである。そして、前記第２レンズ群と前記絞りとの間に位置するレンズ群のうち、少なくとも１つのレンズ群が変倍時に可動であり、前記絞りより縮小側に位置し、かつ、変倍時に可動のレンズ群は、前記正の屈折力を有するレンズ群１つのみであり、前記正の屈折力を有するレンズ群が、そのレンズ群内の最も広い間隔で、負の屈折力を有する前群と正の屈折力を有する後群とに分けられ、かつ、以下の条件式（１）及び（２）を満足する構成になっている。
−２０＜ｆｒｆ／Ｔｒ＜−５  …（１）
−１０＜ｆｒｆ／ｆｒｒ＜−１  …（２）
ただし、
ｆｒｆ：前群の焦点距離、
ｆｒｒ：後群の焦点距離、
Ｔｒ：前群と後群との軸上間隔、
である。
【００１１】
なお、「拡大側」は拡大された光学像が投影されるスクリーン面（拡大側像面）の方向（いわゆる前側）であり、その逆方向は「縮小側」、つまり元の光学像を画像表示面（縮小側像面）に表示する画像表示素子（例えば、デジタル・マイクロミラー・デバイス）が配置される方向（いわゆる後側）である。
【００１２】
拡大側から順に、負の第１レンズ群と負の第２レンズ群を配置することにより、投影光学系のレンズ径を大きくすることなく広角に画像を投影することが可能となる。また、変倍時可動のレンズ群を絞り（つまり開口絞り）より拡大側に少なくとも１つ配置することで、絞りより縮小側のレンズ群の変倍時の移動量を小さくすることができ、変倍時のテレセントリック性の変動を小さくすることができる。そして、絞りより縮小側に位置する変倍時可動のレンズ群を１つのみとすることで、変倍時のテレセントリック性の変動を更に小さくすることができる。さらに、絞りより縮小側に位置する変倍時可動のレンズ群が正の屈折力を持つことで、軸外光線を光軸と平行な方向に曲げることができ、良好なテレセントリック性を得ることができる。
【００１３】
条件式（１）は、絞りより縮小側に位置する正の移動群において、前後群間隔に対する前群の焦点距離の比を規定している。良好なテレセントリック性を維持したまま広いイメージサークルを得るためには、絞りより縮小側のなるべく絞りに近い位置で軸外光を跳ね上げておくことが有効であるが、条件式（１）の上限を上回ると、前群の屈折力が強すぎるか前後群間隔が広すぎることになるため、軸外光を必要以上に跳ね上げすぎてしまう。その結果、絞りより縮小側に位置する正の移動群において後群のレンズ径が大きくなって、投影光学系が大型化する傾向になる。条件式（１）の下限を下回ると、前群の屈折力が弱すぎるか前後群間隔が狭すぎることになるため、前群で軸外光を十分跳ね上げることができず、広いイメージサークルの確保が難しくなる。
【００１４】
したがって、条件式（１）を満たすことにより、投影光学系の大型化を抑えながら広いイメージサークルを効果的に確保することが可能になる。投影光学系が大きなイメージサークルに対応することにより、投影画像の片側シフトが可能となるため、狭い場所でもプロジェクター本体に視界が遮られない大画面投影を行うことができる。
【００１５】
条件式（２）は、絞りより縮小側に位置する正の移動群において、前群と後群との焦点距離比を規定している。条件式（２）の上限を上回ると、後群の焦点距離が長くなりすぎて、前群で跳ね上げた軸外光を光軸に対して平行な方向に曲げることが不十分になるため、テレセントリック性の確保が難しくなる。条件式（２）の下限を下回ると、後群の焦点距離が短くなりすぎて、前群で跳ね上げた軸外光を光軸に対して平行な方向に曲げることが過剰になるため、これもテレセントリック性の確保が難しくなる。
【００１６】
したがって、条件式（２）を満たすことにより、イメージサークルが大きくても、良好なテレセントリック性を確保することが可能になる。色合成プリズムを用いた３板式のプロジェクターにおいて、使用する投影光学系に良好なテレセントリック性を確保することにより、色むらの少ない画像投影が可能になる。
【００１７】
上述した特徴的構成を有する投影光学系では、絞りより縮小側に位置する変倍時可動のレンズ群等が適正に設定されているため、広いイメージサークルを確保することで狭い場所でもプロジェクター本体に視野が遮られない画像投影を可能とし、かつ、良好なテレセントリック性を確保することで色むらの少ない画像投影を可能とした変倍可能な投影光学系を実現することが可能である。そして、その投影光学系をプロジェクターに用いれば、プロジェクターの高性能化，高機能化，コンパクト化等に寄与することができる。こういった効果をバランス良く得るとともに、更に高い光学性能，小型化等を達成するための条件等を以下に説明する。
【００１８】
以下の条件式（１ａ）を満足することが望ましい。
−１８＜ｆｒｆ／Ｔｒ＜−８  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、上記効果をより一層大きくすることができる。
【００１９】
以下の条件式（２ａ）を満足することが望ましい。
−５＜ｆｒｆ／ｆｒｒ＜−１  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００２０】
前記正の屈折力を有するレンズ群の縮小側に隣り合うように、正の屈折力を有し変倍時に位置固定のレンズ群を更に有することが望ましい。この構成によると、絞りより縮小側の正の屈折力で軸外光線を折り曲げる効果を追加することができ、テレセントリック性を更に改善することが可能となる。また、絞りより縮小側で正の屈折力を有するレンズ群を変倍時に位置固定とすることで、変倍時における軸外光線の折り曲げ量の変動を抑えることができるため、テレセントリック性の変動を更に効果的に抑えることが可能となる。
【００２１】
前記第２レンズ群と前記絞りとの間に位置し、かつ、変倍時に可動のレンズ群として、正の屈折力を有する第３レンズ群を、前記第２レンズ群の縮小側に隣り合うように有することが望ましい。この構成によると、画角を確保するための第１レンズ群及び第２レンズ群で発生した負の歪曲を効果的に補正することが可能となる。
【００２２】
前記第３レンズ群と前記絞りとの間に位置するレンズ群のうち、少なくとも１つのレンズ群が変倍時に位置固定であり、その位置固定のレンズ群として、負の屈折力を有する第４レンズ群を、前記第３レンズ群の縮小側に隣り合うように有することが望ましい。この構成によると、正の屈折力を有する第３レンズ群で発生した球面収差を、負の屈折力を有する第４レンズ群で効果的に補正することが可能となる。また、負の屈折力を有する第４レンズ群を変倍時に位置固定とすることで、変倍時の球面収差の変動も抑えることができる。
【００２３】
前記第１レンズ群が変倍時に位置固定のレンズ群であることが望ましい。この構成によると、第１レンズ群の保持構成を簡略化することができ、コストダウンやレンズの小型化が可能となる。また、第１レンズ群を変倍時に位置固定の固定群にした場合、全変倍域で広いイメージサークルを得ようとすると、第１レンズ群が大型化する傾向となる。しかし、絞りより縮小側に位置する移動群が前述した条件式（１）等を満足する構成を取ることにより、第１レンズ群を固定群にした場合でも第１レンズ群を大きくすることなく、広いイメージサークルを確保することができる。
【００２４】
広角端の最大画角が６０°以上であることが望ましい。この構成によると、広さや設置場所の制約がある場合でも大画面投影を行うことが可能となる。また、画角が大きくなると拡大側のレンズが大型化する傾向となるが、絞りより縮小側に位置する移動群が前述した条件式（１）等を満足する構成を取ることにより、拡大側のレンズを大きくすることなく大きな画角を得ることが可能となる。
【００２５】
以下の条件式（３）を満足することが望ましい。
ｆｔ／ｆｗ＞１．２  …（３）
ただし、
ｆｔ：望遠端における全系の焦点距離、
ｆｗ：広角端における全系の焦点距離、
である。
【００２６】
条件式（３）は、投影光学系の変倍比を規定している。条件式（３）の下限を下回ると、変倍比が小さくなりすぎて、設置場所によっては画面の大きさに制約が発生する場合がある。また、変倍比が大きくなると、全変倍域で広いイメージサークルを確保するためには拡大側のレンズが大型化する傾向となるが、絞りより縮小側に位置する移動群が前述した条件式（１）等を満足する構成を取ることにより、拡大側のレンズを大きくすることなく大きな変倍比を得ることが可能となる。
【００２７】
次に、第１〜第４の実施の形態を挙げて、変倍機能を有する投影光学系ＬＮの具体的な光学構成を説明する。図１〜図４は、第１〜第４の実施の形態を構成する投影光学系ＬＮにそれぞれ対応する光学構成図であり、ズームレンズである投影光学系ＬＮのレンズ断面形状，レンズ配置，光路等を、広角端（Ｗ）と望遠端（Ｔ）のそれぞれについて光学断面で示している。図１〜図４中の移動軌跡ｍｊ（ｊ＝１，２，…，６）は、広角端（Ｗ）から望遠端（Ｔ）へのズーミングにおける第ｊレンズ群Ｇｒｊ（ｊ＝１，２，…，６）の移動・固定状態をそれぞれ模式的に示している。このように投影光学系ＬＮが移動群を画像表示面ＩＭに対して相対的に移動させて軸上での各レンズ群間隔を変化させることにより、広角端（Ｗ）から望遠端（Ｔ）までの変倍を行う構成になっている。なお、投影光学系ＬＮの縮小側には、プリズムＰＲ（例えば、ＴＩＲ(Total Internal Reflection)プリズム，色分解合成プリズム等）、及び画像表示素子のカバーガラスＣＧがズーム位置固定で配置されている。
【００２８】
第１〜第３の実施の形態の投影光学系ＬＮは、拡大側から順に、負の屈折力を有する第１レンズ群Ｇｒ１と、負の屈折力を有する第２レンズ群Ｇｒ２と、正の屈折力を有する第３レンズ群Ｇｒ３と、負の屈折力を有する第４レンズ群Ｇｒ４と、絞りＳＴと、正の屈折力を有する第５レンズ群Ｇｒ５と、正の屈折力を有する第６レンズ群Ｇｒ６とからなり、各レンズ群間隔を変化させることにより変倍を行う６成分ズームレンズ（負負正負正正）であって、画像表示面ＩＭに表示される画像を拡大投影する構成になっている。また、第４の実施の形態の投影光学系ＬＮは、拡大側から順に、負の屈折力を有する第１レンズ群Ｇｒ１と、負の屈折力を有する第２レンズ群Ｇｒ２と、正の屈折力を有する第３レンズ群Ｇｒ３と、負の屈折力を有する第４レンズ群Ｇｒ４と、絞りＳＴと、正の屈折力を有する第５レンズ群Ｇｒ５とからなり、各レンズ群間隔を変化させることにより変倍を行う５成分ズームレンズ（負負正負正）であって、画像表示面ＩＭに表示される画像を拡大投影する構成になっている。
【００２９】
第１〜第４の実施の形態は、非球面を含まない球面レンズ系であり、第３レンズ群Ｇｒ３が最も拡大側にフレアカッターＦＣを有しており、第４レンズ群Ｇｒ４はその像側に隣り合って位置する絞りＳＴと一体的にズーム移動するか又はズーム位置固定の構成になっている。また、正の屈折力を有する第５レンズ群Ｇｒ５は、負の屈折力を有する前群ＧｒＦと、正の屈折力を有する後群ＧｒＲとからなっており、第５レンズ群Ｇｒ５内の最も広い間隔で前群ＧｒＦと後群ＧｒＲとの２つのレンズ群に分けられて、前述した条件式（１）等を満足する構成により、広いイメージサークル及び良好なテレセントリック性の確保を可能としている。
【００３０】
第１の実施の形態では（図１）、前群ＧｒＦが両凸の正レンズと両凹の負レンズとからなっており、後群ＧｒＲが両凸の正レンズ２枚と像側に凹の負メニスカスレンズと物体側に凸の平凸の正レンズとからなっている（正負・正正負正）。第２の実施の形態では（図２）、前群ＧｒＦが両凸の正レンズと両凹の負レンズと両凸の正レンズとからなっており、後群ＧｒＲが両凸の正レンズと像側に凹の負メニスカスレンズと物体側に凸の平凸の正レンズとからなっている（正負正・正負正）。第３の実施の形態では（図３）、前群ＧｒＦが両凸の正レンズと両凹の負レンズとからなっており、後群ＧｒＲが両凸の正レンズ２枚と像側に凹の負メニスカスレンズと物体側に凸の平凸の正レンズとからなっている（正負・正正負正）。第４の実施の形態では（図４）、前群ＧｒＦが両凸の正レンズと両凹の負レンズとからなっており、後群ＧｒＲが両凸の正レンズ２枚と像側に凹の負メニスカスレンズと物体側に凸の平凸の正レンズと両凸の正レンズとからなっている（正負・正正負正正）。また、第１〜第３の実施の形態では、ズーム位置固定の第６レンズ群Ｇｒ６が両凸の正レンズ１枚からなっており、その両凸レンズ１枚でテレセントリック性の効果的な改善を可能としている。
【００３１】
次に、上記投影光学系ＬＮを備えたプロジェクターの一実施の形態を説明する。図９に、プロジェクターＰＪの概略構成例を示す。このプロジェクターＰＪは、光源１，照明光学系２，反射ミラー３，プリズムＰＲ，画像表示素子（画像形成素子）４，制御部５，アクチュエーター６，投影光学系ＬＮ等を備えている。制御部５は、プロジェクターＰＪの全体制御を司る部分である。画像表示素子４は、光を変調して画像を生成する画像変調素子（例えば、デジタル・マイクロミラー・デバイス）であり、画像を表示する画像表示面ＩＭを有しており、その画像表示面ＩＭ上にはカバーガラスＣＧが設けられている。
【００３２】
光源１（例えば、キセノンランプ等の白色光源，レーザー光源）から出射した光は、照明光学系２，反射ミラー３及びプリズムＰＲで画像表示素子４に導かれて、画像表示素子４では画像光が形成される。プリズムＰＲは、例えばＴＩＲプリズム（他に色分離合成プリズム等）からなり、照明光と投影光との分離等を行う。画像表示素子４で形成された画像光は、投影光学系ＬＮでスクリーン面ＳＣに向けて拡大投射される。つまり、画像表示素子４に表示された画像ＩＭは、投影光学系ＬＮでスクリーン面ＳＣに拡大投影される。
【００３３】
プロジェクターＰＪは、上記のように、画像を表示する画像表示素子４と、光源１と、その光源１からの光を画像表示素子４に導く照明光学系２と、画像表示素子４に表示された画像をスクリーン面ＳＣに拡大投影する投影光学系ＬＮと、を備えているが、投影光学系ＬＮが適用可能なプロジェクターはこれに限らない。例えば、画像表示面ＩＭ自身の発光により画像を表示する画像表示素子を用いれば、照明を不要にすることも可能であり、その場合、光源１や照明光学系２を用いずにプロジェクターを構成することが可能である。
【００３４】
投影光学系ＬＮにおいてズーミングやフォーカシングのために移動するレンズ群には、それぞれ光軸ＡＸに沿って拡大側又は縮小側に移動させるアクチュエーター６が接続されている。そしてアクチュエーター６には、移動群の移動制御を行うための制御部５が接続されている。なお、制御部５及びアクチュエーター６については、これを使わず手動でレンズ群を移動させてもよい。
【００３５】
以上の説明から分かるように、上述した各実施の形態や後述する各実施例には以下の特徴的な構成（＃１）〜（＃８）等が含まれている。
【００３６】
（＃１）：画像表示面に表示される画像を拡大投影する投影光学系であって、
拡大側から順に、負の屈折力を有する第１レンズ群と、負の屈折力を有する第２レンズ群と、少なくとも１つのレンズ群と、絞りと、正の屈折力を有するレンズ群とを有し、各レンズ群間隔を変化させることにより変倍を行い、
前記第２レンズ群と前記絞りとの間に位置するレンズ群のうち、少なくとも１つのレンズ群が変倍時に可動であり、
前記絞りより縮小側に位置し、かつ、変倍時に可動のレンズ群は、前記正の屈折力を有するレンズ群１つのみであり、
前記正の屈折力を有するレンズ群が、そのレンズ群内の最も広い間隔で、負の屈折力を有する前群と正の屈折力を有する後群とに分けられ、かつ、以下の条件式（１）及び（２）を満足することを特徴とする投影光学系；
−２０＜ｆｒｆ／Ｔｒ＜−５  …（１）
−１０＜ｆｒｆ／ｆｒｒ＜−１  …（２）
ただし、
ｆｒｆ：前群の焦点距離、
ｆｒｒ：後群の焦点距離、
Ｔｒ：前群と後群との軸上間隔、
である。
【００３７】
（＃２）：前記正の屈折力を有するレンズ群の縮小側に隣り合うように、正の屈折力を有し変倍時に位置固定のレンズ群を更に有することを特徴とする（＃１）記載の投影光学系。
【００３８】
（＃３）：前記第２レンズ群と前記絞りとの間に位置し、かつ、変倍時に可動のレンズ群として、正の屈折力を有する第３レンズ群を、前記第２レンズ群の縮小側に隣り合うように有することを特徴とする（＃１）又は（＃２）記載の投影光学系。
【００３９】
（＃４）：前記第３レンズ群と前記絞りとの間に位置するレンズ群のうち、少なくとも１つのレンズ群が変倍時に位置固定であり、その位置固定のレンズ群として、負の屈折力を有する第４レンズ群を、前記第３レンズ群の縮小側に隣り合うように有することを特徴とする（＃３）記載の投影光学系。
【００４０】
（＃５）：前記第１レンズ群が変倍時に位置固定のレンズ群であることを特徴とする（＃１）〜（＃４）のいずれか１項に記載の投影光学系。
【００４１】
（＃６）：広角端の最大画角が６０°以上であることを特徴とする（＃１）〜（＃５）のいずれか１項に記載の投影光学系。
【００４２】
（＃７）：以下の条件式（３）を満足することを特徴とする（＃１）〜（＃６）のいずれか１項に記載の投影光学系；
ｆｔ／ｆｗ＞１．２  …（３）
ただし、
ｆｔ：望遠端における全系の焦点距離、
ｆｗ：広角端における全系の焦点距離、
である。
【００４３】
（＃８）：前記画像表示面を有する画像表示素子と、前記画像表示面に表示される画像をスクリーン面に拡大投影する（＃１）〜（＃７）のいずれか１項に記載の投影光学系と、を備えたことを特徴とするプロジェクター。
【実施例】
【００４４】
以下、本発明を実施した投影光学系の構成等を、実施例のコンストラクションデータ等を挙げて更に具体的に説明する。ここで挙げる実施例１〜４（ＥＸ１〜４）は、前述した第１〜第４の実施の形態にそれぞれ対応する数値実施例であり、第１〜第４の実施の形態を表す光学構成図（図１〜図４）は、対応する実施例１〜４のレンズ断面形状，レンズ配置，光路等をそれぞれ示している。【００４５】
各実施例のコンストラクションデータでは、面データとして、左側の欄から順に、面番号ｉ，近軸における曲率半径ｒ（ｍｍ），軸上面間隔ｄ（ｍｍ），ｄ線（波長５８７．５６ｎｍ）に関する屈折率ｎｄ，及びｄ線に関するアッベ数ｖｄを示す。なお、面番号ｉは拡大側から順に示しており、物体面（ｏｂｊｅｃｔ）はスクリーン面（拡大側像面）ＳＣ相当し（図９）、像面（ｉｍａｇｅ）は画像表示面（縮小側像面）ＩＭに相当する。【００４６】
実施例１〜４の各種データとして、ズーム比（ｚｏｏｍ  ｒａｔｉｏ，変倍比）を示し、さらに各焦点距離状態Ｗ（Ｗｉｄｅ），Ｍ（Ｍｉｄｄｌｅ），Ｔ（Ｔｅｌｅ）について、全系の焦点距離（Ｆｌ，ｍｍ），Ｆナンバー（Ｆｎｏ．），半画角（ω，°），像高（ｙｍａｘ，ｍｍ），レンズ全長（ＴＬ，ｍｍ），バックフォーカス（ＢＦ，ｍｍ），及び可変面間隔（ｄｉ，ｉ：面番号，ｍｍ）を示し、ズームレンズ群データとして、各レンズ群の焦点距離（ｍｍ）を示す。ただし、バックフォーカスＢＦは、レンズ最終面から近軸像面までの距離を空気換算長により表記しており、レンズ全長ＴＬは、レンズ最前面からレンズ最終面までの距離にバックフォーカスＢＦを加えたものである。また、像高ｙｍａｘは画像表示面ＩＭの対角長の半分に相当する。【００４７】
表１に、条件式対応値とその関連データを各実施例について示す。ここで、条件式関連データとして、最大画角（２ω，°），前群ＧｒＦの焦点距離（ｆｒｆ，ｍｍ），後群ＧｒＲの焦点距離（ｆｒｒ，ｍｍ），前群ＧｒＦと後群ＧｒＲとの軸上間隔（Ｔｒ，ｍｍ）を挙げる。【００４８】
図５〜図８は、実施例１〜実施例４（ＥＸ１〜ＥＸ４）にそれぞれ対応する収差図（無限遠合焦状態での縦収差図）であり、（Ａ）〜（Ｃ）は広角端Ｗ、（Ｄ）〜（Ｆ）は中間焦点距離状態Ｍ、（Ｇ）〜（Ｉ）は望遠端Ｔにおける諸収差をそれぞれ示している。また、図５〜図８において、（Ａ），（Ｄ），（Ｇ）は球面収差図、（Ｂ），（Ｅ），（Ｈ）は非点収差図、（Ｃ），（Ｆ），（Ｉ）は歪曲収差図である。なお、各実施例の投影光学系ＬＮをプロジェクターＰＪに用いる場合（図９）、本来はスクリーン面（被投影面）ＳＣが像面であり画像表示面ＩＭが物体面であるが、各実施例では光学設計上それぞれ縮小系とし、スクリーン面ＳＣを物体面（ｏｂｊｅｃｔ）とみなして像面（ｉｍａｇｅ）に相当する画像表示面（縮小側像面）ＩＭで光学性能を評価している。【００４９】
球面収差図は、実線で示すｄ線（波長５８７．５６ｎｍ）に対する球面収差量、一点鎖線で示すＣ線（波長６５６．２８ｎｍ）に対する球面収差量、破線で示すｇ線（波長４３５．８４ｎｍ）に対する球面収差量を、それぞれ近軸像面からの光軸ＡＸ方向のズレ量（単位：ｍｍ）で表しており、縦軸は瞳への入射高さをその最大高さで規格化した値（すなわち相対瞳高さ）を表している。非点収差図において、破線Ｔはｄ線に対するタンジェンシャル像面、実線Ｓはｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図において、横軸はｄ線に対する歪曲（単位：％）を表しており、縦軸は像高（ＩＭＧ  ＨＴ，単位：ｍｍ）を表している。【００５０】
実施例１の投影光学系ＬＮは、全体で２１枚のレンズエレメントで構成されており、拡大側から順に、負の第１レンズ群Ｇｒ１と、負の第２レンズ群Ｇｒ２と、正の第３レンズ群Ｇｒ３と、負の第４レンズ群Ｇｒ４と、正の第５レンズ群Ｇｒ５と、正の第６レンズ群Ｇｒ６と、からなる６成分ズームレンズである。第１レンズ群Ｇｒ１，第４レンズ群Ｇｒ４及び第６レンズ群Ｇｒ６が変倍時に位置固定の固定群であり、第２レンズ群Ｇｒ２，第３レンズ群Ｇｒ３及び第５レンズ群Ｇｒ５が変倍時に可動の移動群である。広角端（Ｗ）から望遠端（Ｔ）への変倍において、第２レンズ群Ｇｒ２は縮小側に凸の軌跡で移動し、第３レンズ群Ｇｒ３と第５レンズ群Ｇｒ５はともに拡大側へ単調に移動する。第３レンズ群Ｇｒ３は最も拡大側にフレアカッターＦＣを有しており、第４レンズ群Ｇｒ４の縮小側には、第４レンズ群Ｇｒ４ととも位置固定の絞りＳＴが、第４レンズ群Ｇｒ４と隣り合うように配置されている。【００５１】
第５レンズ群Ｇｒ５は、最も大きい空気間隔で前群ＧｒＦと後群ＧｒＲとに分けられる。拡大側から順に、正，負の２枚の単レンズからなるレンズ群が全体として負の屈折力を有する前群ＧｒＦであり、正，正，負，正の４枚の単レンズからなるレンズ群が全体として正の屈折力を有する後群ＧｒＲである。これらのレンズ群が条件式（１）及び（２）を満たすことにより、前群ＧｒＦで軸外光線を大きく跳ね上げ、後群ＧｒＲの光線通過位置を高くすることが可能となるため、大きなイメージサークルを確保しつつ良好なテレセントリック性を得ることを可能としている。また、絞りＳＴより縮小側の移動群が第５レンズ群Ｇｒ５のみであるため、変倍時の後群ＧｒＲでの光線通過位置の変動を小さくすることができ、テレセントリック性の変動も小さくすることを可能としている。【００５２】
実施例２の投影光学系ＬＮは、全体で１９枚のレンズエレメントで構成されており、拡大側から順に、負の第１レンズ群Ｇｒ１と、負の第２レンズ群Ｇｒ２と、正の第３レンズ群Ｇｒ３と、負の第４レンズ群Ｇｒ４と、正の第５レンズ群Ｇｒ５と、正の第６レンズ群Ｇｒ６と、からなる６成分ズームレンズである。第１レンズ群Ｇｒ１，第４レンズ群Ｇｒ４及び第６レンズ群Ｇｒ６が変倍時に位置固定の固定群であり、第２レンズ群Ｇｒ２，第３レンズ群Ｇｒ３及び第５レンズ群Ｇｒ５が変倍時に可動の移動群である。広角端（Ｗ）から望遠端（Ｔ）への変倍において、第２レンズ群Ｇｒ２は縮小側へ単調に移動し，第３レンズ群Ｇｒ３と第５レンズ群Ｇｒ５はともに拡大側へ単調に移動する。第３レンズ群Ｇｒ３は最も拡大側にフレアカッターＦＣを有しており、第４レンズ群Ｇｒ４の縮小側には、第４レンズ群Ｇｒ４ととも位置固定の絞りＳＴが、第４レンズ群Ｇｒ４と隣り合うように配置されている。【００５３】
第５レンズ群Ｇｒ５は、最も大きい空気間隔で前群ＧｒＦと後群ＧｒＲとに分けられる。拡大側から順に、正，負，正の３枚の単レンズからなるレンズ群が全体として負の屈折力を有する前群ＧｒＦであり、正，負，正の３枚の単レンズからなるレンズ群が全体として正の屈折力を有する後群ＧｒＲである。これらのレンズ群が条件式（１）及び（２）を満たすことにより、前群ＧｒＦで軸外光線を大きく跳ね上げ、後群ＧｒＲの光線通過位置を高くすることが可能となるため、大きなイメージサークルを確保しつつ良好なテレセントリック性を得ることを可能としている。また、絞りＳＴより縮小側の移動群が第５レンズ群Ｇｒ５のみであるため、変倍時の後群ＧｒＲでの光線通過位置の変動を小さくすることができ、テレセントリック性の変動も小さくすることを可能としている。【００５４】
実施例３の投影光学系ＬＮは、全体で２１枚のレンズエレメントで構成されており、拡大側から順に、負の第１レンズ群Ｇｒ１と、負の第２レンズ群Ｇｒ２と、正の第３レンズ群Ｇｒ３と、負の第４レンズ群Ｇｒ４と、正の第５レンズ群Ｇｒ５と、正の第６レンズ群Ｇｒ６と、からなる６成分ズームレンズである。第１レンズ群Ｇｒ１及び第６レンズ群Ｇｒ６が変倍時に位置固定の固定群であり、第２レンズ群Ｇｒ２，第３レンズ群Ｇｒ３，第４レンズ群Ｇｒ４及び第５レンズ群Ｇｒ５が変倍時に可動の移動群である。広角端（Ｗ）から望遠端（Ｔ）への変倍において、第２レンズ群Ｇｒ２は縮小側に凸の軌跡で移動し、第３レンズ群Ｇｒ３，第４レンズ群Ｇｒ４及び第５レンズ群Ｇｒ５は拡大側へ単調に移動する。第３レンズ群Ｇｒ３は最も拡大側にフレアカッターＦＣを有しており、第４レンズ群Ｇｒ４の縮小側には、変倍時に第４レンズ群Ｇｒ４ととも移動する絞りＳＴが、第４レンズ群Ｇｒ４と隣り合うように配置されている。【００５５】
第５レンズ群Ｇｒ５は、最も大きい空気間隔で前群ＧｒＦと後群ＧｒＲとに分けられる。拡大側から順に、正，負の２枚の単レンズからなるレンズ群が全体として負の屈折力を有する前群ＧｒＦであり、正，正，負，正の４枚の単レンズからなるレンズ群が全体として正の屈折力を有する後群ＧｒＲである。これらのレンズ群が条件式（１）及び（２）を満たすことにより、前群ＧｒＦで軸外光線を大きく跳ね上げ、後群ＧｒＲの光線通過位置を高くすることが可能となるため、大きなイメージサークルを確保しつつ良好なテレセントリック性を得ることを可能としている。また、絞りＳＴより縮小側の移動群が第５レンズ群Ｇｒ５のみであるため、変倍時の後群ＧｒＲでの光線通過位置の変動を小さくすることができ、テレセントリック性の変動も小さくすることを可能としている。【００５６】
実施例４の投影光学系ＬＮは、全体で２１枚のレンズエレメントで構成されており、拡大側から順に、負の第１レンズ群Ｇｒ１と、負の第２レンズ群Ｇｒ２と、正の第３レンズ群Ｇｒ３と、負の第４レンズ群Ｇｒ４と、正の第５レンズ群Ｇｒ５と、からなる５成分ズームレンズである。第１レンズ群Ｇｒ１が変倍時に位置固定の固定群であり、第２レンズ群Ｇｒ２，第３レンズ群Ｇｒ３，第４レンズ群Ｇｒ４及び第５レンズ群Ｇｒ５が変倍時に可動の移動群である。広角端（Ｗ）から望遠端（Ｔ）への変倍において、第２レンズ群Ｇｒ２は縮小側に凸の軌跡で移動し、第３レンズ群Ｇｒ３，第４レンズ群Ｇｒ４及び第５レンズ群Ｇｒ５が拡大側へ単調に移動する。第３レンズ群Ｇｒ３は最も拡大側にフレアカッターＦＣを有しており、第４レンズ群Ｇｒ４の縮小側には、変倍時に第４レンズ群Ｇｒ４ととも移動する絞りＳＴが、第４レンズ群Ｇｒ４と隣り合うように配置されている。【００５７】
第５レンズ群Ｇｒ５は、最も大きい空気間隔で前群ＧｒＦと後群ＧｒＲとに分けられる。拡大側から順に、正，負の２枚の単レンズからなるレンズ群が全体として負の屈折力を有する前群ＧｒＦであり、正，正，負，正，正の５枚の単レンズからなるレンズ群が全体として正の屈折力を有する後群ＧｒＲである。これらのレンズ群が条件式（１）及び（２）を満たすことにより、前群ＧｒＦで軸外光線を大きく跳ね上げ、後群ＧｒＲの光線通過位置を高くすることが可能となるため、大きなイメージサークルを確保しつつ良好なテレセントリック性を得ることを可能としている。また、絞りＳＴより縮小側の移動群が第５レンズ群Ｇｒ５のみであるため、変倍時の後群ＧｒＲでの光線通過位置の変動を小さくすることができ、テレセントリック性の変動も小さくすることを可能としている。【００５８】
実施例１
単位：mm
面データ
i              r          d        nd        vd
object(SC)     infinity   infinity
1           156.745      8.800   1.72342   37.95
2            92.805     23.918
3           198.196      7.400   1.72342   37.95
4            96.138     36.719
5           188.676     16.000   1.83400   37.16
6          -636.148      7.465
7           144.583      5.400   1.78590   44.20
8            65.200     22.328
9          -887.701      7.000   1.54072   47.23
10          -250.936      3.000
11           150.918      4.600   1.75520   27.53
12            59.803     29.238
13           111.950     17.625   1.51633   64.14
14           -75.115      0.300
15          -229.097      3.800   1.49700   81.61
16            78.639   variable
17          -169.902      3.200   1.49700   81.61
18           169.902   variable
19          infinity     15.000
20           362.065      7.000   1.51633   64.14
21          -120.130      0.300
22            97.241      5.500   1.80610   40.93
23           325.567   variable
24          -166.224      3.200   1.43700   95.10
25            83.459     12.174
26          -111.289      3.200   1.43700   95.10
27           111.289      4.325
28           112.121      8.000   1.53172   48.84
29          -112.121     10.000
30(ST)      infinity   variable
31           106.816      8.926   1.49700   81.61
32          -106.816      8.593
33           -81.444      2.800   1.88300   40.80
34           120.116     15.000
35           218.273      9.018   1.49700   81.61
36          -126.621      0.300
37           145.993     11.968   1.43700   95.10
38          -100.130      0.600
39           247.968      3.300   1.88300   40.80
40            67.312      2.485
41            71.838     10.432   1.43700   95.10
42          infinity   variable
43           112.466      8.834   1.49700   81.61
44          -555.330     20.000
45          infinity    116.500   1.51680   64.20
46          infinity      5.000
47          infinity      3.000   1.48749   70.44
48          infinity      0.500
image(IM)     infinity【００５９】
各種データ
zoom ratio    1.29
(W)       (M)       (T)
Fl        28.569    32.401    36.842
Fno.       2.500     2.546     2.607
ω        38.412    34.897    31.528
ymax       22.500    22.500    22.500
TL       590.574   590.560   590.551
BF       104.357   104.343   104.334
d16         9.624    11.631    10.151
d18        54.149    43.093    34.805
d23         5.349    14.398    24.166
d30        64.863    52.231    39.296
d42         4.484    17.117    30.052【００６０】
ズームレンズ群データ
群 ( 面  i )   焦点距離
1 (  1- 16)    -89.428
2 ( 17- 18)   -170.396
3 ( 19- 23)     86.458
4 ( 24- 30)   -200.316
5 ( 31- 42)    294.296
6 ( 43- 48)    189.011【００６１】
実施例２
単位：mm
面データ
i              r          d        nd        vd
object(SC)     infinity   infinity
1           147.367      8.665   1.70154   41.15
2           101.385     14.589
3           151.571     18.579   1.67270   32.17
4           924.120      7.661
5           144.735      7.170   1.67003   47.23
6            69.659     22.170
7         -2746.197      5.891   1.75520   27.53
8            71.785     26.757
9            94.325     18.392   1.51680   64.20
10          -123.924      0.200
11          infinity      3.920   1.49700   81.61
12            85.754   variable
13          -209.728      4.549   1.49700   81.61
14           176.257   variable
15          infinity      5.345
16           601.081      8.186   1.58913   61.25
17          -122.181      0.200
18            88.794      5.921   1.78590   43.93
19           388.048   variable
20         -4292.030      2.529   1.43700   95.10
21            71.947      9.016
22          -102.798      2.932   1.43700   95.10
23           102.798     31.475
24           152.905      7.623   1.58144   40.89
25          -199.306     12.322
26(ST)      infinity   variable
27           178.078      8.912   1.49700   81.61
28          -106.988      9.648
29           -88.313      3.448   1.88300   40.80
30           110.346      5.983
31           196.583      7.619   1.49700   81.61
32           -98.441     39.669
33           155.237     11.597   1.43700   95.10
34           -97.877      0.203
35           363.566      3.745   1.88300   40.80
36            82.441      3.768
37           107.260      6.964   1.49700   81.61
38          infinity   variable
39           104.818     10.313   1.49700   81.61
40          -436.116     22.013
41          infinity    116.500   1.51680   64.20
42          infinity      5.000
43          infinity      3.000   1.48749   70.44
44          infinity      0.500
image(IM)     infinity【００６２】
各種データ
zoom ratio    1.32
(W)       (M)       (T)
Fl        36.590    42.093    48.442
Fno.       2.416     2.452     2.500
ω        31.589    28.126    24.914
ymax       22.500    22.500    22.500
TL       559.202   559.183   559.178
BF       106.365   106.346   106.342
d12        14.517    20.259    20.983
d14        61.614    46.499    35.705
d19         2.936    12.309    22.378
d26        32.803    18.157     3.296
d38         5.008    19.654    34.515【００６３】
ズームレンズ群データ
群 ( 面  i )   焦点距離
1 (  1- 12)   -117.478
2 ( 13- 14)   -191.947
3 ( 15- 19)     78.998
4 ( 20- 26)   -215.100
5 ( 27- 38)    409.279
6 ( 39- 44)    171.119【００６４】
実施例３
単位：mm
面データ
i              r          d        nd        vd
object(SC)     infinity   infinity
1           147.813      8.800   1.72342   37.95
2            89.173     24.543
3           184.515      7.400   1.72342   37.95
4           101.258     17.530
5           149.056     18.327   1.83400   37.16
6         -3904.704      0.300
7           155.263      5.400   1.78590   44.20
8            73.049     23.823
9           447.641      7.000   1.54072   47.23
10         -1270.282      0.300
11           202.461      4.600   1.75520   27.53
12            61.437     39.467
13           127.054     17.201   1.51633   64.14
14           -83.052      0.300
15          -434.636      3.800   1.49700   81.61
16            75.639   variable
17          -169.902      3.200   1.49700   81.61
18           146.525   variable
19          infinity     15.000
20           317.141      7.000   1.51633   64.14
21          -129.261      0.300
22           102.604      5.500   1.80610   40.93
23           442.917   variable
24          -170.039      3.200   1.43700   95.10
25            80.443     16.109
26          -114.916      3.200   1.43700   95.10
27           111.289      5.261
28           111.850      8.000   1.53172   48.84
29          -112.121     10.000
30(ST)      infinity   variable
31           106.816      9.822   1.49700   81.61
32          -104.548      6.586
33           -82.530      2.800   1.88300   40.80
34           117.091     15.000
35           184.891      9.124   1.49700   81.61
36          -129.222      0.300
37           174.808     11.187   1.43700   95.10
38           -99.817      0.600
39           259.287      3.300   1.88300   40.80
40            70.035      2.357
41            75.962      9.817   1.43700   95.10
42          infinity   variable
43           101.125      8.887   1.49700   81.61
44          -842.499     20.000
45          infinity    116.500   1.51680   64.20
46          infinity      5.000
47          infinity      3.000   1.48749   70.44
48          infinity      0.500
image(IM)     infinity【００６５】
各種データ
zoom ratio    1.29
(W)       (M)       (T)
Fl        28.569    32.401    36.842
Fno.       2.500     2.562     2.633
ω        38.437    34.961    31.620
ymax       22.500    22.500    22.500
TL       579.156   579.146   579.137
BF       104.358   104.347   104.338
d16        11.632    13.270    11.074
d18        55.095    44.271    36.236
d23         4.982    14.140    23.903
d30        65.535    52.486    39.602
d42         2.215    15.292    28.643【００６６】
ズームレンズ群データ
群 ( 面  i )   焦点距離
1 (  1- 16)    -97.562
2 ( 17- 18)   -157.771
3 ( 19- 23)     85.855
4 ( 24- 30)   -210.162
5 ( 31- 42)    312.980
6 ( 43- 48)    182.237【００６７】
実施例４
単位：mm
面データ
i              r          d        nd        vd
object(SC)     infinity   infinity
1           166.631      8.800   1.72342   37.95
2            86.345     29.130
3           257.983      7.400   1.72342   37.95
4            91.150     29.155
5           149.674     25.531   1.83400   37.16
6          -264.723      0.300
7           984.697      5.400   1.78590   44.20
8            81.564     21.315
9          -719.084      7.000   1.54072   47.23
10          -337.848      7.404
11           113.000      4.600   1.75520   27.53
12            78.142      2.589
13            81.329     29.455   1.51633   64.14
14           -99.833      0.300
15          -309.030      3.800   1.49700   81.61
16           106.787   variable
17          -169.902      3.200   1.49700   81.61
18            81.054   variable
19          infinity     15.000
20           134.765      7.000   1.51633   64.14
21          -252.058      0.300
22           122.381      5.500   1.80610   40.93
23          1949.511   variable
24          -181.609      3.200   1.43700   95.10
25            60.264      8.630
26           -82.925      3.200   1.43700   95.10
27           111.289      1.213
28            86.169      8.000   1.53172   48.84
29          -112.121     10.000
30(ST)      infinity   variable
31           106.816      9.885   1.49700   81.61
32          -101.838      8.666
33           -65.260      2.800   1.88300   40.80
34           193.485     15.000
35           231.210     10.330   1.49700   81.61
36           -85.267      0.300
37           138.813     10.619   1.43700   95.10
38          -117.874      0.600
39           260.561      3.300   1.88300   40.80
40            67.885     10.000
41           115.518      8.183   1.43700   95.10
42          infinity     10.000
43            86.285     10.425   1.49700   81.61
44          -466.146   variable
45          infinity    116.500   1.51680   64.20
46          infinity      5.000
47          infinity      3.000   1.48749   70.44
48          infinity      0.500
image(IM)     infinity【００６８】
各種データ
zoom ratio    1.29
(W)       (M)       (T)
Fl        28.590    32.417    36.852
Fno.       2.500     2.508     2.534
ω        38.072    34.476    31.210
ymax       22.500    22.500    22.500
TL       596.719   585.910   585.142
BF       116.541   105.032   110.445
d16        21.015    33.931    42.114
d18        70.710    49.943    33.357
d23         3.498    11.040    20.456
d30        43.520    38.435    31.240
d44        20.726    26.122    32.303【００６９】
ズームレンズ群データ
群 ( 面  i )   焦点距離
1 (  1- 16)   -241.804
2 ( 17- 18)   -109.948
3 ( 19- 23)     83.947
4 ( 24- 30)   -142.690
5 ( 31- 44)    110.450【００７０】
【表１】
2018030156.tif 000003
【符号の説明】
【００７１】
ＬＮ    投影光学系
Ｇｒｊ    第ｊレンズ群（ｊ＝１，２，…，６）
ＧｒＦ    前群
ＧｒＲ    後群
ＳＴ    絞り
ＦＣ    フレアカッター
ＰＲ    プリズム
ＩＭ    画像表示面（縮小側像面）
ＳＣ    スクリーン面（拡大側像面）
ＰＪ    プロジェクター
１    光源
２    照明光学系
３    反射ミラー
４    画像表示素子
５    制御部
６    アクチュエーター
ＡＸ    光軸
【図１】
2018030156.tif 000004
【図２】
2018030156.tif 000005
【図３】
2018030156.tif 000006
【図４】
2018030156.tif 000007
【図５】
2018030156.tif 000008
【図６】
2018030156.tif 000009
【図７】
2018030156.tif 000010
【図８】
2018030156.tif 000011
【図９】
2018030156.tif 000012
【国際調査報告】
2018030156.tif 000013
2018030156.tif 000014
2018030156.tif 000015
2018030156.tif 000016